(57)【要約】【課題】撮影後の画像管理を容易に行えるようにした。【解決手段】撮影光学系を経由して入射してきた被写体光を捉えて画像データを得、撮影操作に応じて得られた画像データを記憶するデジタルカメラにおいて、前記画像データに基づく画像を表示する画像表示領域１０５Ａと、該画像表示領域１０５Ａ以外の部分であって、前記画像データを記憶する画像格納部１３０に設定されたフォルダを特定する情報を表示するフォルダ画像領域１０５Ｂとを有する表示部１０５を備えている。【選択図】        図３
2004312299.tif 000002
【特許請求の範囲】
【請求項１】
撮影光学系を経由して入射してきた被写体光を捉えて画像データを得、撮影操作に応じて得られた画像データを記憶するデジタルカメラにおいて、
前記画像データに基づく画像を表示する画像表示領域と、該画像表示領域以外の部分であって、前記画像データを記憶する画像格納部に設定されたフォルダを特定する情報を表示するフォルダ表示領域とを有する表示部を備えていることを特徴とするデジタルカメラ。
【請求項２】
撮影光学系を経由して入射してきた被写体光を捉えて画像データを得、撮影操作に応じて得られた画像データを記憶するデジタルカメラにおいて、
画像データを記憶する複数のフォルダの設定が自在であって、撮影操作に応じて得られた画像データを、設定されたフォルダのうちから任意に選択されたフォルダに格納する画像格納部と、
前記撮影光学系を経由して入射してきた被写体光を捉えた画像データおよび前記画像格納部に記憶された画像データのうちから選択された画像データに基づく画像を表示する画像表示領域と、前記画像格納部に設定されたフォルダを特定する情報を表示するフォルダ表示領域とを有する表示部と、
前記フォルダ表示領域に所望のフォルダを特定する情報を表示させると共に所望のフォルダを指定するための操作子と、
撮影操作に応じて得られた画像データを前記操作子の操作により指定されたフォルダに格納させる画像制御部とを備えたことを特徴とするデジタルカメラ。
【請求項３】
撮影光学系を経由して入射してきた被写体光を捉えて画像データを得、撮影操作に応じて得られた画像データを記憶するデジタルカメラにおいて、
画像データを記憶する複数のフォルダの設定が自在であって、撮影操作に応じて得られた画像データを、設定されたフォルダのうちから任意に選択されたフォルダに格納する画像格納部と、
前記撮影光学系を経由して入射してきた被写体光を捉えた画像データおよび前記画像格納部に記憶された画像データの中から選択された画像データに基づく画像を表示する画像表示領域と、前記画像格納部に設定されたフォルダを特定する情報を表示するフォルダ表示領域とを有する表示部と、
前記フォルダ表示領域に所望のフォルダを特定する情報を表示させると共に、所望のフォルダを指定するための操作子と、
前記画像表示領域に、前記画像格納部に設定されたフォルダのうちの、前記操作子の操作により指定されたフォルダに格納された画像データに基づく画像を表示させる画像制御部とを備えたことを特徴とするデジタルカメラ。
【請求項４】
前記表示部は正方形であって、前記画像表示領域は横：縦の長さが４：３であり、前記フォルダ表示領域は横：縦の長さが４：１であることを特徴とする請求項１記載のデジタルカメラ。
【請求項５】
前記表示部は、前記フォルダ表示領域に、フォルダを特定する情報として該フォルダの名称を表示するものであることを特徴とする請求項１又は２記載のデジタルカメラ。
【請求項６】
表示部は、前記フォルダ表示領域にフォルダを特定する情報として、該フォルダに応じた画像を表示するものであることを特徴とする請求項１又は２記載のデジタルカメラ。
【請求項７】
前記表示部は、前記フォルダ表示領域に、フォルダを特定する情報を複数フォルダ分並べて表示するものであることを特徴とする請求項１又は２記載のデジタルカメラ。
【請求項８】
外部の通信網に接続され、前記フォルダに応じた画像を表わす画像データを受信する受信部を備え、前記画像表示部は、前記フォルダ表示領域にフォルダを特定する情報として、前記受信部で受信した画像データに基づく画像を表示するものであることを特徴とする請求項６記載のデジタルカメラ。
【発明の詳細な説明】
【０００１】
【発明の属する技術分野】
本発明は、撮影操作に応じて生成した画像データを画像格納部（記録部）に記録するデジタルカメラに関する。
【０００２】
【従来の技術】
従来のデジタルカメラにおいて、各連写撮影ごとに画像フォルダを形成し、１回の連写撮影で撮影された複数の画像の各々を画像ファイルとして対応の画像フォルダに格納する技術がある（例えば、特許文献１参照）。
【０００３】
また、画像データを格納するフォルダを分類して、属性の共通するデータごとに該当するフォルダに格納して記録するデータ記録装置がある（例えば、特許文献２参照）。
【０００４】
また、記録した画像を再生したときフィルムカメラユーザが違和感なく操作できるようにコマ送りを回転レバーで行うデジタルカメラの再生技術がある（例えば、特許文献３参照）。
【０００５】
さらにまた、フォルダ分けするために、予め仮想フォルダを用意し、撮影データの記録時にフォルダを選択しその選択に係わるフォルダを実際に作成し、当該フォルダに撮影データを記録すると共に、再生時には選択されたフォルダの最後に記録されたデータから順に画像を再生する電子カメラがある（例えば、特許文献４参照）。
【０００６】
【特許文献１】
特開平１１−３４１４２１号公報（要約、図９）
【特許文献２】
特開２００１−５７０５６号公報（要約、図１）
【特許文献３】
特開２００２−１６５１１６号公報（要約、図５）
【特許文献４】
特開２００１−１６９２２２号公報（要約、図１５）
【０００７】
【発明が解決しようとする課題】
従来のデジタルカメラにおける画像データの記録方法は、単に撮影順に記録する方法が一般的であるが、このような記録方法では、あとで撮影内容、撮影場所、撮影日時等に応じて分類、整理することが困難である。
【０００８】
これに対し、上記に記載の各従来技術では、各連写撮影ごとに画像フォルダを形成し、複数の画像の各々を画像フォルダに格納する技術（特許文献１）、属性の共通するデータごとに該当するフォルダに格納する技術（特許文献２）、あるいは、仮想フォルダを用意し、記録時に選択することでユーザの希望のように分類する技術（特許文献４）は開示されているが、いずれも固体撮像素子（ＣＣＤ）で撮り込んだ画像（スルー画）あるいは再生画像を表示する画像表示領域にフォルダの内容を示すフォルダ画像もいっしょに重ねて表示するようになっているため、フォルダ画像が見づらく、そのため撮影に当たって予め記録後の分類を行う操作や再生時に見たい画像をフォルダから取り出す操作が困難であるという問題がある。
【０００９】
本発明は、上記事情に鑑み、フォルダ画像が見やすく、撮影時および再生時のフォルダ選択操作が容易に行えるデジタルカメラを提供することを目的とする。
【００１０】
【課題を解決するための手段】
上記目的を達成する本発明のデジタルカメラは、撮影光学系を経由して入射してきた被写体光を捉えて画像データを得、撮影操作に応じて得られた画像データを記憶するデジタルカメラにおいて、
前記画像データに基づく画像を表示する画像表示領域と、該画像表示領域以外の部分であって、前記画像データを記憶する画像格納部に設定されたフォルダを特定する情報を表示するフォルダ表示領域とを有する表示部を備えていることを特徴とする。
【００１１】
本発明のデジタルカメラでは、撮影操作に応じて得られた画像データを格納す画像格納部は複数のフォルダが設定される。表示部の画像表示領域には、撮影光学系を経由して入射してきた被写体光を捉えた画像データ基づく画像を表示すると共に、フォルダ表示領域に所望のフォルダを特定する情報を表示する。
【００１２】
本発明では、表示部が画像表示領域とフォルダ表示領域に分けられているので、画像データに基づく本画像とフォルダ画像とが重なり合うことがなくなり、フォルダの状態が一目で分かる。したがって、撮影時にフォルダを選択して撮影を行うと記録後の分類も容易に行え、また、再生時にフォルダを選択することで、ユーザの見たい画像データを容易に選択できる。
【００１３】
上記目的を達成する本発明のデジタルカメラは、撮影光学系を経由して入射してきた被写体光を捉えて画像データを得、撮影操作に応じて得られた画像データを記憶するデジタルカメラにおいて、
複数のフォルダの画像データを記憶する複数のフォルダの設定が自在であって、撮影操作に応じて得られた画像データを、設定されたフォルダのうちから任意に選択されたフォルダに格納する画像格納部と、
前記撮影光学系を経由して入射してきた被写体光を捉えた画像データおよび前記画像格納部に記憶された画像データのうちから選択された画像データに基づく画像を表示する画像表示領域と、前記画像格納部に設定されたフォルダを特定する情報を表示するフォルダ表示領域とを有する表示部と、
前記フォルダ表示領域に所望のフォルダを特定する情報を表示させると共に所望のフォルダを指定するための操作子と、
撮影操作に応じて得られた画像データを前記操作子の操作により指定されたフォルダに格納させる画像制御部とを備えたことを特徴とする。
【００１４】
本発明のデジタルカメラでは、撮影操作に応じて得られた画像データを、指定されたフォルダのうちから操作子で任意に選択されたフォルダに格納する。
【００１５】
上記目的を達成する本発明のデジタルカメラは、撮影光学系を経由して入射してきた被写体光を捉えて画像データを得、撮影操作に応じて得られた画像データを記憶するデジタルカメラにおいて、
画像データを記憶する複数のフォルダの設定が自在であって、撮影操作に応じて得られた画像データを、設定されたフォルダのうちから任意に選択されたフォルダに格納する画像格納部と、
前記撮影光学系を経由して入射してきた被写体光を捉えた画像データおよび前記画像格納部に記憶された画像データの中から選択された画像データに基づく画像を表示する画像表示領域と、前記画像格納部に設定されたフォルダを特定する情報を表示するフォルダ表示領域とを有する表示部と、
前記フォルダ表示領域に所望のフォルダを特定する情報を表示させると共に、所望のフォルダを指定するための操作子と、
前記画像表示領域に、前記画像格納部に設定されたフォルダのうちの、前記操作子の操作により指定されたフォルダに格納された画像データに基づく画像を表示させる画像制御部とを備えたことを特徴とする。
【００１６】
本発明のデジタルカメラでは、画像表示領域に、画像格納部に設定されたフォルダのうち操作子の操作により指定されたフォルダに格納された画像データに基づく画像を画像表示領域に表示させる。
【００１７】
前記表示部は正方形であって、前記画像表示領域は横：縦の長さが４：３であり、前記フォルダ表示領域は横：縦の長さが４：１であることが好ましい。
【００１８】
前記画像表示部は、前記フォルダ表示領域に、フォルダを特定する情報として該フォルダの名称を表示するものであることが好ましい。
【００１９】
画像表示部は、前記フォルダ表示領域にフォルダを特定する情報として、該フォルダに応じた画像を表示するものであることが好ましい。
【００２０】
前記画像表示部は、前記フォルダ表示領域に、フォルダを特定する情報を複数フォルダ分並べて表示するものであることが好ましい。
【００２１】
外部の通信網に接続され、フォルダに応じた画像を表わす画像データを受信する受信部を備え、前記画像表示部は、前記フォルダ表示領域にフォルダを特定する情報として、前記受信部で受信した画像データに基づく画像を表示するものであることが好ましい。
【００２２】
【発明の実施の形態】
以下、本発明の実施形態について説明する。
【００２３】
図１は、本発明の実施形態を示す第１のデジタルカメラの外観図であって、（ａ）は正面図、（ｂ）は背面図である。
【００２４】
図１に示すデジタルカメラ１００は、撮影レンズ１０１から内部に配備されているＣＣＤ固体撮像素子１１０まで被写体の像が導かれるようになっている。デジタルカメラ１００の背面にはユーザがこのデジタルカメラ１００を使用するときに様々な操作を行うための操作用スイッチ群および表示部であるＬＣＤ画面１０５が設けられている。
【００２５】
この操作部には、デジタルカメラを作動させるための電源投入用のパワースイッチ１０２、撮影と再生とを自在に切替える撮影・再生切替レバー１０３、実行キー１０６ａ、キャンセルキー１０６ｂ、十字キー１０７および閃光発光部１０４のポップアップスイッチ１０８等の操作用スイッチ群が設けられている。この十字キー１０７の内側には液晶表示パネル１０７ａが設けられており、ＬＣＤ画面１０５に表示される選択メニューの項目が十字キー１０７によって選択できるようになっている。さらにはＬＣＤ画面１０５の表示、非表示の切替を行うための表示キー１０５１も設けられている。また、このデジタルカメラ１００の上方にはレリーズ釦１０９が配備されている。このレリーズ釦１０９が全押しされると撮影の開始指示がデジタルカメラ内部の後述する信号処理部へと伝えられる。
【００２６】
また、このデジタルカメラ１００は、撮影・再生切替レバー１０３によって撮影と再生との切替が自在になっており、撮影を行うときにはユーザによって撮影・再生切替レバー１０３が撮影側１０３ａに切り替えられ、再生を行うときには撮影・再生切替レバー１０３が再生側１０３ｂに切り替えられる。また、夜間撮影も行えるように閃光発光装置１０４が配備されている。
【００２７】
さらににまた、このデジタルカメラ１００は、適宜位置にマイクロフォン１５０が内蔵されており、撮影者が音声を入力できるようになっている。
【００２８】
図２は、デジタルカメラ１００の内部に設けられている信号処理回路の一例を示すブロック構成図である。
【００２９】
本実施形態のデジタルカメラ１００ではすべての処理がＣＰＵ１１１によって制御されており、このＣＰＵ１１１の制御のもとにＤＳＰ１１２によってＣＣＤ固体撮像素子１１０で得られた画像データの処理が行われる。このＣＰＵ１１１とＤＳＰ１１２とは図示しないバスで接続されており、このバスを介してデータのやりとりが行われる。また、ＣＰＵ１１１にはＳＤＲＡＭ１１３とＦＬＡＳＨＲＯＭ１１４とが接続されており、ＳＤＲＡＭ１１３にはＤＳＰ１１２で処理が行われる画像データが記憶され、ＦＬＡＳＨＲＯＭ１１４にはＣＰＵ１１１に処理を実行させるためのプログラムが記憶されている。図２にはＤＳＰ１１２側へＳＤＲＡＭ１１３に記憶された画像データの読み出しが行われることが矢印で示されている。
【００３０】
このＣＰＵ１１１の入力部には、図１に示した各種キーおよびスイッチからなる操作部１１５の操作に応じた電気信号が入力される。この操作部１１５には、図１に示したパワースイッチ１０２、撮影・再生切替スイッチ１０３、表示キー１０５１、実行キー１０６ａ、キャンセルキー１０６ｂ、上キー１０７１、右キー１０７２、下キー１０７３、左キー１０７４の４つのキーで構成される十字キー１０７、レリーズ釦１０９に同期して作動するシャッタスイッチなどがある。このシャッタスイッチにはレリーズ釦１０９の半押し状態と全押し状態とが区別されるように二つの接点が備えられており、レリーズ釦１０９の半押し状態は撮影のスタンバイ状態を示すものとしてＣＰＵ１１１に認識される。
【００３１】
マイクロフォン１５０からの音声信号は、オーディオインタフェース１４０を介してＤＳＰ１１２で受け取られ、この受け取られた信号が一旦、ＤＳＰ１１２内に記憶され、必要に応じてその記憶された音声信号がＡＵＤＩＯ  Ｉ／Ｆ１２０を介してスピーカ１４１へ供給されるようになっている。ＤＳＰ１１２内の音声信号処理部は本実施形態のデジタルカメラでムービ撮影が行われる場合などに利用される。
【００３２】
また、この実施形態のデジタルカメラ１００では、オーディオインタフェース１４０の出力は音声認識部１４２を介してＤＳＰ１１２に入力されるようになっている。
【００３３】
さらにまた、本実施形態のデジタルカメラ１００ではＬＣＤ画面１０５に表示メニューの表示が可能な構成になっており、そのメニューで表示される項目の選択が上記十字キー１０７により行われる。
【００３４】
この十字キー１０７ではＬＣＤ画面１０５に表示される選択メニューの、複数の項目の中のいずれかが選択できるようになっている。図１に示した十字キーの４つのキーのうち、上キー１０７１が押されたら上方向へＬＣＤ画面１０５に表示されたカーソルが移動し、右キー１０７２が押されたらカーソルが右方向へ移動する構成になっている。
【００３５】
これらのキー１０７１〜１０７４が押されたときに、それらのキー１０７１〜１０７４が押されたことがＣＰＵ１１１に認識され、ＣＰＵ１１１では４つのキー１０７１〜１０７４のうち、いずれかのキーが押されたことに基づいてバスを経由させてＬＣＤ画面１０５へカーソルの移動指示が転送される。そうすると複数表示されている項目の中のいずれかにカーソルが移動してそれらの項目の中のいずれかがその移動したカーソルにより選択される。
【００３６】
カーソルが項目の中のいずれかに置かれた状態で実行キー１０６ａが押されればその項目が実行される。したがってユーザはＬＣＤ画面１０５に表示されたカーソルにより、選択メニューの中の、複数の項目のいずれかを選択することができる。
【００３７】
撮影・再生切替レバー１０３が再生側１０３ｂに切り替えられると記録メディアからの再生が行われる。このときには撮影を行うための指示を行うレリーズ釦などからの信号が入力されても処理は行われない。
【００３８】
次にＣＰＵ１１１の出力部を説明する。
【００３９】
ＣＰＵ１１１の出力部にはタイミングジェネレータ（以下ＴＧという）１１６、フォーカスレンズ１１８を駆動するためのモータドライバ（以下ＤＲＶという）１１７、および閃光発光部１０４に閃光発光を行わせる閃光発光装置１０４ａが接続されている。
【００４０】
撮影を行うときにはＬＣＤ画面１０５上に被写体像が被写体の動きにあわせて表示されている。この表示されている被写体の像を見ながら、ユーザによりフレーミングが行なわれ、レリーズ釦１０９が全押しされたら撮影が行なわれる。このレリーズ釦１０９が全押しされたら、ＣＰＵ１１１では撮影開始を指示する信号がＴＧ１１６へ出力される。ＴＧ１１６ではこの指示を受けてＣＣＤ固体撮像素子１１０へレリーズ釦１０９が押下されたことを知らせる信号が供給される。この信号を受けてＣＣＤ固体撮像素子１１０ではレリーズ釦１０９が全押しされたときにＣＣＤ固体撮像素子１１０によって撮像されていた画像データがＲＧＢ信号として出力される。
【００４１】
ＣＣＤ固体撮像素子１１０で得られた撮像信号はＲＧＢ信号となってＣＤＳおよびＡ／Ｄ部１１９へ供給される。このＣＤＳおよびＡ／Ｄ部１１９で雑音の低減が行われてからデジタル信号に変換され、デジタルのＲＧＢ信号となってＤＳＰ１１２へ供給される。このＤＳＰ１１２内には画像信号処理部、圧縮処理部、ＡＥ（ＡｕｔｏＥｘｐｏｓｕｒｅ）検出部、ＡＷＢ（Ａｕｔｏ  Ｗｈｉｔｅ  Ｂａｌａｎｃｅ）検出部、ビデオエンコーダ、音声信号処理部などの各信号処理部が包含されている。
【００４２】
したがってこのＤＳＰ１１２でＣＣＤ固体撮像素子１１０で得られたＲＧＢ信号からなる画像データに一連の処理が施され、その処理が施された画像データがＬＣＤ１０５、記録メディア１３０といった出力機器へ出力される。音声についてはマイクロフォン１５０、スピーカ１４１等の音声入出力機器に必要な音声信号の処理がＤＳＰ１１２で行われる。この実施形態のデジタルカメラ１００ではマイクロフォン１５０からの音声信号がオーディオインタフェース１４０を介してＤＳＰ１１２で受け取られ、この受け取られた信号が一旦、ＤＳＰ１１２内に記憶され、必要に応じてその記憶された音声信号がＡＵＤＩＯ  Ｉ／Ｆ１４０を介してスピーカ１４１へ供給される。ＤＳＰ１１２内の音声信号処理部はデジタルカメラでムービ撮影が行われる場合などに利用される。以上がＣＣＤ固体撮像素子１１０により得られた撮影信号の流れである。
【００４３】
次に、前述した撮影・再生切替レバー１０３が撮影側１０３ａに切り替えられ、撮影が行われるときの画像データの流れを説明する。
【００４４】
撮影が行われるときには、ＣＰＵ１１１の入力部に接続されている撮影・再生切替レバー１０３が撮影側１０３ａに切り替えられる。
【００４５】
このようなデジタルカメラ１００ではレリーズ釦１０９が押されていなくてもＬＣＤ１０５の表示画面１０５ａに撮影レンズが向けられた方向の被写体像がスルー画像として常に表示されている。この表示されているスルー画像は、ＣＣＤ固体撮像素子１１０から所定の間隔ごとに読み出されるＲＧＢ信号から成る画像データがＤＳＰ１１２内の画像信号処理部でＹＣ信号に変換され、そのＹＣ信号がＤＳＰ１１２内のビデオエンコーダを経由してＬＣＤ１０５に供給されて得られるものである。このようなスルー画像の表示が行われているときにはスルー画像ごとにＤＳＰ１１２で露出調節、焦点調節といったカメラ特有の信号処理が行われている。
【００４６】
ここで自分が求めている被写体が表示部であるＬＣＤ画面１０５にスルー画像として表示されていたら、ユーザによりレリーズ釦１０９が全押しされる。ユーザによってレリーズ釦１０９が全押しされるとＣＰＵ１１１からＴＧ１１６に対して撮影の開始指示が出される。この開始指示を受けてＣＣＤ固体撮像撮像素子１１０ではＲＧＢ信号が出力される。なお、前述したようにレリーズ釦１０９には半押しと全押しの二つの操作態様があり、一気に全押しされたときであってもレリーズ釦１０９が半押しされた状態もＣＰＵ１１１では認識され、一瞬半押し状態になった時点では撮影スタンバイの状態になっている。
【００４７】
この出力されたＲＧＢ信号はＣＤＳおよびＡ／Ｄ変換部１１９でデジタル信号に変換され、ＤＳＰ１１２内の画像入力コントローラによってＤＳＰ１１２側へ導かれ、その導かれたＲＧＢ信号がＤＳＰ１１２内のバスを介してＳＤＲＡＭ１２１に供給され、ＳＤＲＡＭ１２１にデジタル信号のＲＧＢ信号が書き込まれる。そしてすべての画像データに対応するＲＧＢ信号の取り込みが完了したら、今度はＳＤＲＡＭ１２１からＲＧＢ信号が読み出されてＤＳＰ１１２に供給される。ＤＳＰ１１２ではＲＧＢ信号からＹＣ信号への変換が行なわれ、さらにＤＳＰ１２１内で圧縮された画像データがインタフェース１２０を介して記録メディア１３０に供給され、この記録メディア１３０に画像データがＪＰＥＧ圧縮ファイルとして記録される。
【００４８】
なおＤＳＰ１１２とＣＰＵ１１１とはバスによって接続されており、このバスを介してアドレス、データのやりとりが行われる。ＣＰＵ１１１には内部にレジスタが各種用意されており、これらのレジスタの内容が各信号処理部の処理の進行状況に応じて書き換えられる。ＣＰＵ内１１１ではこのレジスタの内容を判読してフラッシュＲＯＭ１１４内に格納されているプログラムの手順にしたがった処理が行われる。
【００４９】
以上の説明は、デジタルカメラ１００で撮影が行われるときに記録メディア１３０に記録されるまでの画像データの一般的な流れである。
【００５０】
本発明のデジタルカメラは、図３に示すように、表示部であるＬＣＤ画面１０５に、スルー画および再生画面を表示する画像データから得られる画像を表示する画像表示領域１０５Ａと、画像格納部である記録メディア１３０に設定されたフォルダを特定する情報を表示するフォルダ表示領域フォルダ表示領域１０５Ｂとを設けたものである。
【００５１】
図３は、撮影モードにおけるＬＣＤ画面（表示部）１０５の一例を示す。同図に示すように、ＬＣＤ画面１０５は、横：縦の長さが４：３である画像表示領域１０５Ａと、その下部に設けられ、横：縦の長さが４：１であるフォルダ表示領域１０５Ｂとを有し、全体として正方形で構成されている。
【００５２】
撮影モードにおいては、画像表示領域１０５ＡにはＣＣＤ１１０で撮り込んだ画像であるスルー画面５が表示され、撮影操作したときには撮り込んだ画像が表示される。撮影した画像データは画像格納部である記録メディア１３０（カメラ内の記憶部の場合もある、以下同じ）用意されたフォルダの格納され、その画像データが格納されているフォルダがフォルダ画像６としてフォルダ表示領域１０５Ｂに表示される。
【００５３】
記録メディア１３０に画像データが記録されていないときは、新規のフォルダ１２のみ表示されている状態であるが、１枚撮影するとその撮影に係るフォルダと新規フォルダの２つの表示がなされる。例えば、風景に係る撮影を行う場合は、図３に示すように、風景のフォルダ１０を作成し、クリスマスに係る撮影を行う場合はクリスマスのフォルダ１１を作成する。これにより、フォルダ１１の２つのフォルダ１０、１１と、新規のフォルダ（未格納のフォルダ）１２が表示される。３つ以上のフォルダがある場合は、フォルダ表示領域１０５Ｂには任意の２つのフォルダと新規フォルダ１２の表示とする（但しこの数は限定されない）。そして、撮影に当たってカーソル等でフォルダを指定したあと撮影操作することにより、その指定したフォルダに画像データが格納される。
【００５４】
図４は、撮影モードにおけるフォルダ操作の例を示している。同図（ａ）は、フォルダなしの場合であって、フォルダ表示領域１０５Ｂに新規のフォルダ１２のみ表示されている。この状態で、図４（ｂ）に示すように、新たに撮影しようとする内容を表わすフォルダを作成し、１枚撮影すると、その撮影に係るフォルダと新規フォルダの２つの表示がなされる。例えば、風景に係る撮影を行う場合は、風景のフォルダ１０を作成する。図示の例では、「風景」と文字表示したフォルダ画像１０がフォルダ画面領域１０５Ｂに表示される。同図（ｃ）は撮影画像のフォルダ２個の場合であって、フォルダ表示領域１０５Ｂには、「風景」のフォルダ１０と、「クリスマス」のフォルダ１１と「新規」のフォルダ１２が表示されている。同図（ｄ）は（ｃ）と同様、撮影画像のフォルダ２個の場合であって、フォルダ表示領域１０５Ｂには、「風景」のフォルダ１０と、「クリスマス」のフォルダ１１と「新規」のフォルダ１２が表示されると共に、画面移動方向の矢印１３が表示されている。
【００５５】
上記のようにフォルダ画像を文字で表わすには、例えば、カメラのデフォルトとして複数の名称、例えば、「風景」、「クリスマス」、「家族」、「友人」等を用意しておき、ユーザが好みのものを選択することによりフォルダ画面領域１０５Ｂに文字表示する方法が考えられる。
【００５６】
上記図４（ｂ）の状態では左キー１０７４または右キー１０７２で風景のフォルダ１０と新規のフォルダ１２のいずれかが選択できる。また、図４（ｃ）では左キー１０７４で右端から左端方向へ、あるいは右キー１０７２で左端から右端方向へフォルダ画像を移動させることが可能である。図４（ｄ）では右キー１０７２で既に設定されているフォルダの表示が可能であり、また、左キー１０７４を押し続けることで新規フォルダ１２を選択することができる。さらに、右キーを押し続けることでフォルダを順番に表示すること、また、右端までたどり着いたらとまるようにすることも可能である。選択されたフォルダは選択されたことがわかるようにマークなどで明示しておくことが好ましい。
【００５７】
撮影モード、再生モード（後述）等のモード遷移、あるいは電源オフを経由した後、再度撮影モードに入った場合は前回のフォルダをそのまま表示することも可能である。また、セットアップモード等で、メニューをデフォルト（カメラ初期機能）に戻すための「オールリセット」メニューがある場合、オールリセットを実行したらデフォルト表示が行えるようにすることも可能である。この場合のデフォルト表示は、登録順（若い順または古い順）とすることができる。さらにまた、撮影するたびに最新のフォルダ順とすることも可能である。
【００５８】
フォルダ表示領域１０５Ｂにおけるフォルダ画像は、最新の撮影画像、あるいは最初に撮影した画像、再生頻度の多い画像等のいずれでもよい。また、フォルダ画像自体を選択することも可能であり、各フォルダでどの画像が選択されているかを別途のファイルで管理する仕組みを用いることも可能である。
【００５９】
次に、再生モードについて説明する。
【００６０】
図５は、再生モードにおけるＬＣＤ画面（表示部）１０５の一例を示す。同図に示すように、ＬＣＤ画面１０５は、同じく横：縦の長さが４：３である画像表示領域１０５Ａと、その下部に設けられ、横：縦の長さが４：１であるフォルダ表示領域１０５Ｂとを有し、全体として正方形で構成されている。
【００６１】
再生モードにおいては、画像表示領域１０５Ａには記録メディア１３０から再生した画像である再生画面７が表示される。この再生画面７は、フォルダ表示領域１０５Ｂに表示されているフォルダ画像６のうちから選択したフォルダの画像が表示されるようになっている。
【００６２】
この操作方法は次のように行われる。すなわち、上キー１０７１または下キー１０７３４により本画像（再生画面）７かフォルダ画像６に切り替わる。本画像７が表示されているとき左右キー１０７４、１０７２を押すと画像送り、下キー１０７３を押すとフォルダ画像６に移動、上キー１０７１をを押した場合は電子ズームとする。また、動画像再生の場合、下キー１０７３で再生開始、あるいは上キー１０７１でのトグル操作で動画再生開始／停止を切り替えるようにしてもよい。フォルダ画像６で左右キー１０７４、１０７２を押すとフォルダ選択ができる。また、本画像７での左右キー１０７４、１０７２の押し続けによる連続再生時に、連続再生終了して次のフォルダに移った場合フォルダ表示も切り替えるものとする。
【００６３】
モード遷移、電源オフを経由後、再度再生モードに入った場合は、通常は最新撮影画面であるが、前回のフォルダ選択に基づく画像表示を行うことも可能である。特にモード遷移の揚合、再生モード→撮影モード→再生モードで、途中の撮影モードでの撮影がなければ、最初の再生モードでの表示を保持することができる。
【００６４】
またセットアップモード等でメニューをデフォルトに戻すための「オールリセット」メニューがある場合、オールリセットを実行したら、デフォルトフォルダ表示が行えるようにもできる。この場合のデフォルトフォルダは、登録の若い順、古い順等が考えられる（上記撮影モードと同じ）。
【００６５】
以上のように、フォルダ表示領域１０５Ｂにフォルダ画像を同時表示するが、そのフォルダ画像を表す方法は以下の通りである。
【００６６】
第１の方法は、文字で表わす方法である。例えば、風景の画像であれば「風景」、クリスマスの画像であれば「クリスマス」等と表示する。
【００６７】
また、第２の方法は、そのフォルダを表す画像を先に登録する方法である。すなわち、図５に示すように、ユーザにとってわかりやすい画像、例えば、風景であれば富士山１７を、クリスマスであればツリー１８をフォルダ画像として表示する。
【００６８】
図６は、上記のようなフォルダ表示のための画像を入手する方法の一例を示している。同図において、カメラメーカ等の画像所有者のコンピュータ２０に代表的な画像を用意しておき、インターネット等の通信網２１を通じてサーバ２２のウェブ上にこの画像を公開する。ユーザは自分のコンピュータ２３から通信網２１を通じて画像を取り寄せて自分のデジタルカメラ１００に登録するようにしたものである。
【００６９】
上記以外の方法としては、各フォルダ内の最新撮影画像や最初に撮影した画像（一番古い画像）、再生頻度が多い画像等をフォルダ画像として表示してもよい。図７および図８に、フォルダ画像再生手順の例を示している。
【００７０】
図７において、ユーザがフォルダ画像表示スタートし（ステップＳ１）、フォルダ画像の日付順テーブルを作成して機器（カメラ）に設定しておき（ステップＳ２）、カメラでは最新の画像をフォルダ画像として表示し（ステップＳ３）、終了する（ステップＳ４）。
【００７１】
図８において、フォルダ画像として最新画像を採用するか否かを判定し（ステップＳ５）、ＹＥＳであれば図７の手順と同様に最新の画像をフォルダ画像として表示し（ステップＳ３）、ＮＯであればフォルダ画像として再生回数の最も多い画像を採用するか否かを判定し（ステップＳ６）、ＹＥＳであれば再生回数の最も多い画像を表示し（ステップＳ７）、ＮＯであればフォルダ画像は最初に撮影した画像をデフォルトとする（ステップＳ８）。このように、ユーザが最新画像がよいか、再生頻度の高い画像がよいか等を任意に選択することにより、フォルダ画像表示を変えることが可能となる。
【００７２】
図９は、再生頻度のカウントの手順を示している。再生頻度カウント開始し（ステップＳ１０）、ユーザがコマ送り等の操作を行い（ステップＳ１１）、再生処理（ステップＳ１２）、再生時間クリヤ（ステップＳ１３）、再生画を出力し（ステップＳ１４）、一定時間を経過した後（ステップＳ１５）、当該画像再生回数をカウントアップする（ステップＳ１６）。
【００７３】
フォルダ画像選択方法として、フォルダ画像自体を選択するようにすることも可能であり、各フォルダでどの画像が選択されているかを別途ファイルにて管理する仕組みを用いることができる。画像管理するには、ＤＰＯＦ（Ｄｉｊｉｔａｌ  Ｐｒｉｎｎｔ  Ｏｒｄｅｒ  Ｆｏｒｍａｔ）管理ファイルのように、ＭＩＳＣディレクトリ内に管理ファイルを作成、各フォルダのどのファイルがフォルダ代表画面かを記載する。
【００７４】
図１０は、記録メディア１３０のフォルダ階層構造の一例を示す概念図である。フォーマットされた記録メディア１３０は、ルート（ｒｏｏｔ）の下に画像（ＤＣＩＭ）、画像以外（ＭＩＳＣ）のフォルダが作成され、ＤＣＩＭの下に１００ｆｕｊｉ、１０２ｆｕｊｉ、１０３ｆｕｊｉという４個のフォルダが用意される。１００ｆｕｊｉのフォルダには、画像データが撮影順番に従って、ＤＳＣＦ０００１．ｊｐｇ、ＤＳＣＦ０００２．ａｖｉ、ＤＳＣＦ０００３．ｗａｖ、ＤＳＣＦ０００４．ａｖｉ、ＤＳＣＦ０００５．ｊｐｇ、ＤＳＣＦ０００６．ｊｐｇ、ＤＳＣＦ０００７．ｊｐｇ、ＤＳＣＦ０００８．ｗａｖ・・・というファイル名が付与されている。また、１０２ｆｕｊｉ、１０３ｆｕｊｉ、１１３ｆｕｊｉのフォルダには、ＤＳＣＦ＊＊＊＊（撮影順番）ｊｐｇのファイル名が付与されている。
【００７５】
図１０のフォルダ階層構造では、ＭＩＳＣディレクトリ下のｆｏｌｄｅｒ．ｍｒｋが管理ファイルであることを示している。フォルダを代表する画像は、再生モードにてメニュー項目のひとつとして選択可能とする。
【００７６】
図１１は、各フォルダの記載内容の例を示している。すなわち、各フォルダ００１、００２、００３において、ＮＡＭＥＷ＝１００ＦＵＪＩ、ＦＩＧ＝ＤＳＣＦ＊＊＊＊（撮影順番）ｊｐｇ、ＯＤＲ等が記載されている。
【００７７】
図１２は、画像選択メニューの例を示している。
【００７８】
図１２（ａ）において、画像表示領域１０５Ａに表示された各種設定メニューの中からフォルダ画像選択３０を指定すると図１２（ｂ）の画面となる。ここで、フォルダ名３１を左右キー１０７４、１０７２で切り替えると、フォルダ画像表示領域１０５Ｂにおけるフォルダ画像の選択枠が切り替わる。図示の例ではフォルダ名３１が風景であって、フォルダ画像表示領域１０５Ｂのフォルダ画像の風景１０が選択されている。さらに、上下キー１０７１、１０７３により、最新画像３２、最多再生画像３３、最初の画像３４のいずれかを選択した後ＯＫキーを押下することにより選択が完了する。
【００７９】
【発明の効果】
以上、説明したように、本発明によれば、フォルダの状態が一目で分かり、撮影時にフォルダを選択して記録後の分類を行う操作、および再生時にフォルダを選択して見たい画像を取り出す操作が容易に行える。
【図面の簡単な説明】
【図１】本発明の一実施形態であるデジタルカメラの外観図である。
【図２】図１のデジタルカメラ内に配備される信号処理部の構成ブロック図である。
【図３】撮影モードにおける表示部の画面の一例である。
【図４】撮影モードにおける表示部の画面であってフォルダ操作の一である。
【図５】再生モードにおける表示部の画面の一例である。
【図６】フォルダ表示のための画像を通信網から入手する方法の説明図である。
【図７】フォルダ画像再生手順の一例を示すフローチャートである。
【図８】フォルダ画像再生手順の他例を示すフローチャートである。
【図９】再生頻度のカウントの手順を示すフローチャートである。
【図１０】記録メディアのフォルダ階層構造の一例を示す図である。
【図１１】各フォルダの記載内容の例である。
【図１２】画像選択メニューの一例である。
【符号の説明】
２１    インタネット（通信網）
１００    デジタルカメラ
１０１    撮影レンズ
１０５    ＬＣＤ画面（表示部）
１０５Ａ    画像表示領域
１０５Ｂ    フォルダ表示領域
１０６ａ    実行キー（操作子）
１０６ｂ    キャンセルキー（操作子）
１０７１    上キー（操作子）
１０７２    右キー（操作子）
１０７３    下キー（操作子）
１０７４    左キー（操作子）
１０７    十字キー（操作子）
１１０    ＣＣＤ固体撮像素子
１１１    ＣＰＵ（画像制御部）
１１２    ＤＳＰ（画像制御部）
１３０    記録メディア（画像格納部）
【図１】
2004312299.tif 000003
【図２】
2004312299.tif 000004
【図３】
2004312299.tif 000005
【図４】
2004312299.tif 000006
【図５】
2004312299.tif 000007
【図６】
2004312299.tif 000008
【図７】
2004312299.tif 000009
【図８】
2004312299.tif 000010
【図９】
2004312299.tif 000011
【図１０】
2004312299.tif 000012
【図１１】
2004312299.tif 000013
【図１２】
2004312299.tif 000014